(57)【特許請求の範囲】
【請求項１】
車両に搭載される表示装置の画面に表示領域として設定される複数のエリアに対し、表示対象となっているコンテントを割り当てて表示する表示制御装置であって、
前記コンテントの属性であるコンテント情報と前記コンテントとを対応付け前記コンテントを管理するコンテント管理部と、
前記エリアの属性であるエリア情報と前記エリアとを対応付け前記エリアを管理するエリア管理部と、
前記コンテント情報及び前記エリア情報に基づいて、前記コンテントと前記エリアとの組合せについての評価値を算出し、該評価値が大きい組合せを選択するコンテント割当制御部と、を備え、
前記コンテント管理部は、車両の状況に応じて、前記コンテント情報を変更し、
前記コンテント情報は、コンテントの特性を示すコンテント特性を含み、
前記エリア情報は、前記エリアの特性を示すエリア特性を含んでおり、
前記コンテント特性及び前記エリア特性から前記コンテントの前記エリアへの割り当てに用いられる特性評価値を導出するための対応情報を記憶する対応情報記憶部をさらに備え、
前記コンテント割当制御部は、車両の状況に基づき、前記対応情報を変更可能であること
を特徴とする表示制御装置。
【請求項２】
車両に搭載される表示装置の画面に表示領域として設定される複数のエリアに対し、表示対象となっているコンテントを割り当てて表示する表示制御装置であって、
前記コンテントの属性であるコンテント情報と前記コンテントとを対応付け前記コンテントを管理するコンテント管理部と、
前記エリアの属性であるエリア情報と前記エリアとを対応付け前記エリアを管理するエリア管理部と、
前記コンテント情報及び前記エリア情報に基づいて、前記コンテントと前記エリアとの組合せについての評価値を算出し、該評価値が大きい組合せを選択するコンテント割当制御部と、を備え、
前記エリア管理部は、車両の状況に応じて、前記エリア情報を変更し、
前記コンテント情報は、コンテントの特性を示すコンテント特性を含み、
前記エリア情報は、前記エリアの特性を示すエリア特性を含んでおり、
前記コンテント特性及び前記エリア特性から前記コンテントの前記エリアへの割り当てに用いられる特性評価値を導出するための対応情報を記憶する対応情報記憶部をさらに備え、
前記コンテント割当制御部は、車両の状況に基づき、前記対応情報を変更可能であること
を特徴とする表示制御装置。
【請求項３】
車両に搭載される表示装置の画面に表示領域として設定される複数のエリアに対し、表示対象となっているコンテントを割り当てて表示する表示制御装置であって、
前記コンテントの属性であるコンテント情報と前記コンテントとを対応付け前記コンテントを管理するコンテント管理部と、
前記エリアの属性であるエリア情報と前記エリアとを対応付け前記エリアを管理するエリア管理部と、
前記コンテント情報及び前記エリア情報に基づいて、前記コンテントと前記エリアとの組合せについての評価値を算出し、該評価値が大きい組合せを選択するコンテント割当制御部と、を備え、
前記コンテント管理部は、車両の状況に応じて、前記コンテント情報を変更し、
前記エリア管理部は、車両の状況に応じて、前記エリア情報を変更し、
前記コンテント情報は、コンテントの特性を示すコンテント特性を含み、
前記エリア情報は、前記エリアの特性を示すエリア特性を含んでおり、
前記コンテント特性及び前記エリア特性から前記コンテントの前記エリアへの割り当てに用いられる特性評価値を導出するための対応情報を記憶する対応情報記憶部をさらに備え、
前記コンテント割当制御部は、車両の状況に基づき、前記対応情報を変更可能であること
を特徴とする表示制御装置。
【請求項４】
請求項１〜３のいずれか一項に記載の表示制御装置において、
前記コンテント情報は、表示対象者毎の情報の価値を示すコンテント価値を含み、
前記エリア情報は、前記表示対象者毎の場所的な適正度を示すエリア適性度を含んでいること
を特徴とする表示制御装置。
【請求項５】
請求項１〜４の何れか一項に記載の表示制御装置において、
前記コンテント特性には、運転者の視線の動きが問われるか否かを示す視線特性が含まれ、
前記エリア特性には、運転者の視線の動きが大きくなるか否かを示す視線特性が含まれること
を特徴とする表示制御装置。
【請求項６】
請求項１〜５の何れか一項に記載の表示制御装置において、
前記コンテント特性には、表現力が必要となるか否かを示す表現力特性が含まれ、
前記エリア特性には、表現力が大きいか否かを示す表現力特性が含まれること
を特徴とする表示制御装置。
【請求項７】
請求項１〜６の何れか一項に記載の表示制御装置において、
前記コンテント特性には、操作が必要となるか否かを示す操作特性が含まれ、
前記エリア特性には、操作が可能か否かを示す操作特性が含まれること
を特徴とする表示制御装置。
【請求項８】
請求項１〜７のいずれか一項に記載の表示制御装置において、
前記車両の状況には、車両の走行状況が含まれること
を特徴とする表示制御装置。
【発明の詳細な説明】
【技術分野】
【０００１】
本発明は、車両情報などを車室内に用意された表示装置に表示する際、ユーザが把握し易いように表示する技術に関する。
【背景技術】
【０００２】
車両の室内で提供される情報は、多岐にわたっている。例えば、車両の状態を示す車速、エンジン回転数、シフトポジション、燃料、水温などが挙げられる。また例えば、ナビゲーションのための地図、エアコンの設定情報、オーディオ情報などが挙げられる。近年では、運転支援のためのナイトビューや、車両内に持ち込んだ携帯端末の情報なども提供されるようになってきた。
【０００３】
これらの情報を提供するための表示装置も、種々のものが搭載されるようになっており、ヘッドアップディスプレイや、ナビゲーションのための地図などが表示される液晶ディスプレイが挙げられる。また、車速などが表示されるメータパネルも液晶などの採用によって種々の情報を提供可能なものがあり、一種の表示装置と言える。
【０００４】
このように提供される情報（以下「コンテント」という）が多くなってきていること、また、複数の表示装置が搭載されることから、どのコンテントをどの表示装置のどの領域（以下「エリア」という）に表示させるのかが、重要となってくる。
【０００５】
従来、携帯端末が生成した複数の画面データを１つのディスプレイに対して割り当てる技術が開示されている（例えば、特許文献１参照）。この技術は、画面データ及び表示領域にそれぞれ優先度を割り当てて、優先度順に領域を決定するものである。
【先行技術文献】
【特許文献】
【０００６】
【特許文献１】特開２００９−１４０４８８号公報
【発明の概要】
【発明が解決しようとする課題】
【０００７】
ところで、コンテントの重要度を考えた場合、例えば車両の走行中であれば、「車速」や「エンジン回転数」など運転に関係するコンテントは重要度が比較的大きく、「エアコン設定情報」や「オーディオ情報」など運転に関係のないコンテントは重要度が比較的小さい。また例えば車両の停車中であれば、反対に、「車速」や「エンジン回転数」など運転に関係するコンテントは重要度が比較的小さく、「エアコン設定情報」や「オーディオ情報」など運転に関係のないコンテントは重要度が比較的大きい。つまり、車両の状況によっても、コンテントの重要度は変わってくる。
【０００８】
しかしながら、上記特許文献１に記載された発明では、コンテント同士の比較によって優先度を割り当てているため、優先度が車両の状況に合わないことが起こり得る。
なお、エリアについても、コンテントと同様であり、車両の状況によって、その重要度が変わってくる。
【０００９】
本発明は、上述した課題を解決するためになされたものであり、その目的は、車両の状況が変化した場合でも、適切なコンテントを適切なエリアへ割り当てることが可能な表示制御装置を提供することにある。
【課題を解決するための手段】
【００１０】
上記目的を達成するためになされた本発明の表示制御装置は、車両に搭載される表示装置の画面に表示領域として設定される複数のエリアに対し、表示対象となっているコンテントを割り当てて表示するものである。
【００１１】
本発明の表示制御装置は、コンテント管理部、エリア管理部、及び、コンテント割当制御部を備えている。
コンテント管理部は、コンテントの属性であるコンテント情報を対応付けコンテントを管理する。また、エリア管理部は、エリアの属性であるエリア情報を対応付けエリアを管理する。そして、コンテント割当制御部により、コンテント情報及びエリア情報に基づいて、コンテントとエリアとの組合せが決定される。
【００１２】
ここで特に、本発明では、コンテント管理部が、車両の状況に応じて、コンテント情報を変更する。
つまり、本発明ではコンテント情報及びエリア情報に基づいてコンテントとエリアとの組合せを決定するのであるが、コンテント情報が車両の状況によって変更されるようになっている。このようにすれば、車両の状況に応じたコンテント情報によってコンテントとエリアとの組合せが決定されるため、車両の状況が変化した場合でも、適切なコンテントを適切なエリアへ割り当てることができる。
【００１３】
また、コンテント管理部は、コンテントの属性であるコンテント情報を対応付けコンテントを管理する。また、エリア管理部は、エリアの属性であるエリア情報を対応付けエリアを管理する。そして、コンテント割当制御部により、コンテント情報及びエリア情報に基づいて、コンテントとエリアとの組合せが決定される。
【００１４】
ここで特に、本発明では、エリア管理部が、車両の状況に応じて、エリア情報を変更する。
つまり、本発明ではコンテント情報及びエリア情報に基づいてコンテントとエリアとの組合せを決定するのであるが、エリア情報が車両の状況によって変更されるようになっている。このようにすれば、車両の状況に応じたエリア情報によってコンテントとエリアとの組合せが決定されるため、車両の状況が変化した場合でも、適切なコンテントを適切なエリアへ割り当てることができる。
【００１５】
さらにまた、コンテント管理部は、コンテントの属性であるコンテント情報を対応付けコンテントを管理する。また、エリア管理部は、エリアの属性であるエリア情報を対応付けエリアを管理する。そして、コンテント割当制御部により、コンテント情報及びエリア情報に基づいて、コンテントとエリアとの組合せが決定される。
【００１６】
ここで特に、本発明では、コンテント管理部が車両の状況に応じてコンテント情報を変更し、エリア管理部が車両の状況に応じてエリア情報を変更する。
つまり、本発明ではコンテント情報及びエリア情報に基づいてコンテントとエリアとの組合せを決定するのであるが、コンテント情報及びエリア情報が車両の状況によって変更されるようになっている。このようにすれば、車両の状況に応じたコンテント情報及びエリア情報によってコンテントとエリアとの組合せが決定されるため、車両の状況が変化した場合でも、適切なコンテントを適切なエリアへ割り当てることができる。
【００１７】
具体的には、コンテント情報には、コンテントの有する価値である情報価値が含まれ、エリア情報には、エリアの有する価値である領域価値が含まれることが考えられる。例えば、緊急性の高いコンテントであれば、情報価値が相対的に大きくなるという具合である。また例えば、ヘッドアップディスプレイといった走行中の視線移動が少ないエリアは、領域価値が相対的に大きくなるという具合である。このような情報価値や領域価値が車両の状況によって変更されれば、車両の状況が変化した場合でも、適切なコンテントを適切なエリアへ割り当てることができる。
【００１８】
また、具体的には、コンテント情報には、表示対象者毎の情報の価値を示すコンテント価値が含まれ、エリア情報には、表示対象者毎の場所的な適正度を示すエリア適性度が含まれることが考えられる。ここで表示対象者には、運転者、助手席同乗者、及び、後席同乗者が挙げられる。例えば、運転時に必要なコンテントであれば、運転者にとってのコンテント価値が相対的に大きくなるという具合である。また例えば、ヘッドアップディスプレイといった走行中の視線移動が少ないエリアは、運転者にとってのエリア適性度が相対的に大きくなるという具合である。このようなコンテント価値やエリア適性度が車両の状況によって変更されれば、車両の状況が変化した場合でも、適切なコンテントを適切なエリアへ割り当てることができる。
【００１９】
さらにまた、具体的には、コンテント情報には、コンテントの特性を示すコンテント特性が含まれ、エリア情報には、エリアの特性を示すエリア特性が含まれることが考えられる。この場合、コンテント特性及びエリア特性からコンテントのエリアへの割り当てに用いられる特性評価値を導出するための対応情報が対応情報記憶部に記憶されることを前提に、コンテント割当制御部が、車両の状況に基づき、対応情報を変更可能としてもよい。このようにすれば、車両の状況が変化した場合でも、適切なコンテントを適切なエリアへ割り当てることができる。
【００２０】
コンテント特性には、運転者の視線の動きが問われるか否かを示す視線特性が含まれ、エリア特性には、運転者の視線の動きが大きくなるか否かを示す視線特性が含まれることとしてもよい。例えば「車速」のように運転時に頻繁に確認が必要となるようなコンテントは、運転者の視線の動きが問われるコンテントとなる。また例えば、ヘッドアップディスプレイのように走行中の視線移動が少ないエリアは、運転者の視線の動きが大きくならないエリアとなる。
【００２１】
また、コンテント特性には、表現力が必要となるか否かを示す表現力特性が含まれ、エリア特性には、表現力が大きいか否かを示す表現力特性が含まれることとしてもよい。例えばナビゲーションのための「地図」のように情報量が多いコンテントは、表現力（解像度やカラー表示など）が必要となるコンテントとなる。また例えば、車両中央に設置されるカラー液晶表示装置のエリアは表現力が大きなエリアとなる。
【００２２】
さらにまた、コンテント特性には、操作が必要となるか否かを示す操作特性が含まれ、エリア特性には、操作が可能か否かを示す操作特性が含まれることとしてもよい。例えば「オーディオ情報」のように楽曲の選択などが行われるコンテントは、操作が必要なコンテントとなる。また例えばタッチパネルが一体となった液晶表示装置のエリアは、操作が可能なエリアとなる。
【００２３】
なお、車両の状況には、車両の走行状況が含まれることが例示される。走行状況は、例えば走行中か停車中かという２つの走行状況を示すものとしてもよいし、また例えば低速走行、高速走行などもっと細かな走行状況を示すものとしてもよい。このようにすれば、車両の状況に基づく変更処理が比較的簡単なものとなる。もちろん、車両の状況には、走行状況に限らず、車両内外の種々の状況が含まれる。例えば運転者の負荷などを算出可能なシステムと共に用い、当該運転者の負荷を車両の状況としてもよい。
【図面の簡単な説明】
【００２４】
【図１】表示制御装置の概略構成を示すブロック図である。
【図２】（ａ）は第１実施形態でコンテント及びエリアに対応付けられる属性を示す説明図であり、（ｂ）はコンテントとエリアとの対応関係を示す説明図であり、（ｃ）は、属性に基づくコンテントの割り当てを示す説明図である。
【図３】エリア管理部におけるエリアの階層データ構造を示す説明図である。
【図４】第１実施形態の表示制御処理を示すフローチャートである。
【図５】第１実施形態の価値変更処理を示すフローチャートである。
【図６】第２実施形態でコンテント及びエリアに対応付けられる属性を示す説明図である。
【図７】（ａ）は視線適性度テーブルを示す説明図であり、（ｂ）は表現力適性度テーブルを示す説明図であり、（ｃ）は操作適性度テーブルを示す説明図である。
【図８】所定の演算子を用いて規定される必須排他制約式の処理を示す説明図である。
【図９】第２実施形態の表示制御処理の前半部分を示すフローチャートである。
【図１０】第２実施形態の表示制御処理の後半部分を示すフローチャートである。
【図１１】第２実施形態の価値変更処理を示すフローチャートである。
【発明を実施するための形態】
【００２５】
以下、本発明の実施形態を図面に基づいて説明する。
［第１実施形態］
図１は、実施形態の表示制御装置１の概略構成を示すブロック図である。
【００２６】
表示制御装置１は、制御部１０を中心に構成されている。制御部１０には、３台の表示装置２１，２２，２３、及び、入出力ＩＦ３０が接続されている。なお、以下では、３台の表示装置２１〜２３を区別するため、必要に応じて「Ａ表示装置２１」、「Ｂ表示装置２２」、「Ｃ表示装置２３」と記述する。
【００２７】
３台のＡ〜Ｃの表示装置２１〜２３はそれぞれ、例えばヘッドアップディスプレイ、メータパネル、ナビゲーションのための地図などを表示する液晶表示装置などとして具現化される。ただし、これに限られるものではない。
【００２８】
入出力ＩＦ３０は、車両内のネットワーク（例えばＣＡＮ）に接続するための構成であり、入出力ＩＦ３０を介し、表示制御装置１は、マルチメディアＥＣＵ４１、車速ＥＣＵ４２、エンジン回転数センサ４３、各種ＥＣＵ４４、及び、各種センサ４５に接続されている。各種ＥＣＵ４４には、例えばナビゲーションＥＣＵなどが含まれる。また、各種センサ４５には、車室外の気温を検知する外気温センサやエンジン冷却水の温度を検知する水温センサなどが含まれる。
【００２９】
このような構成により、表示制御装置１は、ネットワークを介して各種のコンテントを取得可能となっている。コンテントは、マルチメディアＥＣＵ４１から取得される「オーディオ情報」、車速ＥＣＵ４２から取得される「車速」、エンジン回転数センサ４３から取得される「エンジン回転数」、各種ＥＣＵ４４に含まれるナビゲーションＥＣＵから取得される「地図」、各種センサ４５に含まれる外気温センサから取得される「外気温」など様々である。
【００３０】
制御部１０は、コンテント管理部１１、エリア管理部１２、割当管理部１３、コンテント割当制御部１４、及び、表示レイアウト制御部１５を有している。
コンテント管理部１１は、上述した種々のコンテントを管理するための機能を有し、カテゴリーの異なるコンテントも同様に管理している。コンテント管理部１１は、コンテントに対し、図２（ａ）に示すように、「情報価値」、「コンテントサイズ」及び「表示状態」の３つの属性を対応付けて管理する。
【００３１】
ここで情報価値とは、コンテントの重要度を示すものである。情報価値は、「警告情報」など緊急性の高いコンテントほど一般的に高くなり、次に、走行状態に関わるコンテントである「車速」や「エンジン回転数」などが続く。ナビゲーションのための「地図」や「オーディオ情報」などのコンテントは、相対的に低い情報価値を有するものとなる。
【００３２】
またコンテントサイズは、コンテントの表示に要する領域の大きさであり、例えば縦及び横のピクセル数で表される。
さらにまた表示状態は、そのコンテントが表示対象であるか否かを示す情報であり、表示対象であることを示す「アクティブ状態」又は表示対象でないことを示す「非アクティブ状態」のいずれかが設定される。
【００３３】
具体的には、車両状況やユーザ操作に応じて「アクティブ状態」と「非アクティブ状態」とが切り替えられる。例えば、シフトレンジがＲの時は「バックモニタ」のコンテントが「アクティブ状態」となり、シフトレンジがＲ以外の時は「バックモニタ」のコンテントが「非アクティブ状態」になるという具合である。また例えば、ユーザがオーディオスイッチをオンにすると「オーディオ情報」のコンテントが「アクティブ状態」となり、オーディオスイッチをオフにすると「オーディオ情報」のコンテントが「非アクティブ状態」になるという具合である。
【００３４】
エリア管理部１２は、表示領域としての複数のエリアを管理するための機能を有する。エリアは、Ａ〜Ｃの３台の表示装置２１〜２３の画面に対して設定される。エリア管理部１２は、Ａ〜Ｃの３台の表示装置２１〜２３のエリアを同様に管理している。すなわち、Ａ表示装置２１のエリアもＢ表示装置２２のエリアも区別なく管理している。ただし、エリア管理部１２は、エリアに対し、図２（ａ）に示すように、「領域価値」及び「エリアサイズ」の２つの属性を対応付けて管理する。
【００３５】
ここで領域価値とは、エリアの重要度を示すものである。この領域価値は、視認性に優れたエリアほど一般的に高く設定される。例えば、フロントガラスを利用するヘッドアップディスプレイのエリアは、その領域価値が高くなるという具合である。
【００３６】
またエリアサイズは、エリアの大きさであり、コンテントサイズと同様、例えば縦及び横のピクセルで示される。
また、エリア管理部１２は、Ａ〜Ｃの表示装置２１〜２３のエリアを階層データ構造で管理する。例えばＡ表示装置２１のエリアを例に挙げて説明すると、図３に示す如くである。
【００３７】
Ａ表示装置２１の表示領域は、図３（ａ）に示すように、画面全体を使用するａエリア、このａエリアを左右２つに分割したｂエリア及びｃエリア、さらに、ｂエリアを左右２つに分割したｄエリア及びｅエリア、ｃエリアを上下２つに分割したｆエリア及びｇエリアとして設定されているものとする。
【００３８】
このとき、図３（ｂ）に示すように、ａエリアを最上位の階層のエリアとして管理する。ａエリアの直下の階層にｂ及びｃのエリアを管理し、ｂ及びｃのエリアの直下の階層にそれぞれ、ｄ及びｅのエリアとｆ及びｇのエリアとを管理する。
【００３９】
これにより、図３（ｃ）に示すように、例えばｂエリアにコンテントが割り当てられると、それよりも下の階層であるｄ及びｅのエリアは使用不能と判断する。なお、ａエリアの直下にあるｂ及びｃのエリアのうち一方のｂエリアのみにコンテントが割り当てられるときは（ｃ，ｆ，ｇのエリアが使用されていないときは）、ａエリアの内部にコンテント
が表示されればよく、例えばコンテントがｂ及びｃのエリアに跨るようにセンタリングなどを施すようにしてもよい。
【００４０】
本実施形態では、以上のようなコンテント管理部１１及びエリア管理部１２を有することにより、コンテント割当制御部１４が、コンテントの情報価値とエリアの領域価値とを比較し、原則としてコンテントの情報価値がエリアの領域価値よりも大きくなっている場合にだけ、そのエリアにコンテントを割り当てる。なお、以下では適宜、情報価値及び領域価値をまとめて「価値」といい、コンテントサイズ及びエリアサイズをまとめて「サイズ」という。
【００４１】
コンテント割当制御部１４は、コンテント及びエリアの「価値」だけでなく「サイズ」をも考慮して、エリアに対するコンテントの割り当てを行う。表示レイアウト制御部１５は、コンテントがエリアに割り当てられると、それらのコンテントをそれらのエリアに表示する。
【００４２】
ところで、このようなコンテント及びエリアの属性に基づきコンテントをエリアに割り当てる処理は、いわば「動的な割り当て」処理と言える。これとは別に、一部のコンテントは予め定められた所定のエリアに割り当てられるようになっている。こちらはいわば「静的な割り当て」である。この予め定められたコンテントとエリアとの対応関係を管理するのが、割当管理部１３である。
【００４３】
割当管理部１３は、図２（ｂ）に示すように、例えばＸコンテントとＡエリア及びＢエリアとの対応関係を有している。このときは、ＸコンテントはＡエリア又はＢエリアに割り当てられることになる。また例えば、ＹコンテントとＣエリアとの対応関係を有している。このときは、ＹコンテントはＣエリアに割り当てられることになる。
【００４４】
次に、より具体的に、表示制御のための処理を説明する。図４は、表示制御処理を示すフローチャートである。この表示制御処理は、イグニッションキーがオンとなっている間、繰り返し実行されるものである。
【００４５】
最初のＳ１００では、価値変更処理を実行する。この処理は、車両の状況（本実施形態では走行中であるか停車中であるかという走行状況）に基づき、コンテントの情報価値及びエリアの領域価値を変更するものである。
【００４６】
次のＳ１１０では、コンテントリストを作成する。この処理は、その属性である表示状態が「アクティブ状態」となっているコンテントを抽出し、情報価値の大きい順に並べ替えるものである。なお、ここでは、Ｎ個のコンテントが並べ替えられたものとする。
【００４７】
次のＳ１２０では、コンテントを示す変数ｎを「１」として初期化する。この変数ｎがインクリメントされる毎に、１番目のコンテント→２番目のコンテント→３番目のコンテント→・・・という具合に処理されることになる。
【００４８】
続くＳ１３０では、エリアを探索する。この処理は、未だコンテントが割り当てられていない全てのエリアを探索するものである。
続くＳ１４０では、階層データ構造に基づきエリアを除外する。この処理は、コンテントが割り当てられていないエリアであっても、階層データ構造で上位に位置するエリアに対しコンテントが割り当てられている場合に、そのエリアを除外するものである。例えば図３（ｃ）に示したように、ｂエリアにコンテントが割り当てられている場合、ｄ及びｅのエリアが除外されるという具合である。
【００４９】
次のＳ１５０では、コンテントサイズ及びエリアサイズに基づきエリアを除外する。この処理は、割り当てられるコンテントのコンテントサイズよりも小さなエリアサイズのエリアを除外するものである。
【００５０】
例えば図２（ｃ）に示すようなＺコンテントは、コンテントサイズが「２００×２００」となっているため、Ｚコンテントを割り当てる場合、エリアサイズが「５０×２０」のＤエリアは除外されるという具合である。
【００５１】
続くＳ１６０では、割当管理に基づきエリアを除外する。具体的には、割当管理部１３に記憶された対応関係に基づき、コンテントとエリアとの対応関係にないエリアを除外する。
【００５２】
次のＳ１７０では、エリアに対しコンテントを割り当てる。この処理は、Ｓ１６０までで対象となったエリアのうち、コンテントの情報価値を下回るエリアでかつ最も領域価値の大きなエリアへコンテントを割り当てるものである。例えば図２（ｃ）では、Ｚコンテントの情報価値が「２０」であるため、この情報価値「２０」を下回る領域価値「１０」のＦエリアへＺコンテントが割り当てられるという具合である。
【００５３】
続くＳ１８０では、変数ｎがコンテントの個数Ｎに等しいか否かを判断する。この処理は、全てのコンテントを処理したか否かを判断するものである。ここでｎ＝Ｎである場合（Ｓ１８０：ＹＥＳ）、Ｓ１９０へ移行する。一方、ｎ≠Ｎである場合（Ｓ１８０：ＮＯ）、すなわち処理していないコンテントがあるうちは、Ｓ２００にて変数ｎをインクリメントし、Ｓ１３０からの処理を繰り返す。
【００５４】
Ｓ１９０では、コンテントを表示する。この処理は、割り当てられたエリアにコンテントを表示するものである。
次に、図４中のＳ１００の価値変更処理について説明する。図５は、価値変更処理を示すフローチャートである。
【００５５】
最初のＳ１０１では、車両が走行中か否かを判断する。この判断は、例えば車速ＥＣＵ４２から送出される「車速」に基づいて行われる。ここで走行中であると判断された場合（Ｓ１０１：ＹＥＳ）、Ｓ１０２にてコンテントの情報価値を走行中における情報価値に変更し、Ｓ１０３にてエリアの領域価値を走行中における領域価値に変更し、その後、価値変更処理を終了する。一方、走行中でないと判断された場合（Ｓ１０１：ＮＯ）、すなわち停車中である場合には、Ｓ１０４にてコンテントの情報価値を停車中における情報価値に変更し、Ｓ１０５にてエリアの領域価値を停車中における領域価値に変更して、その後、価値変更処理を終了する。
【００５６】
コンテントに対する走行中／停車中の情報価値及びエリアに対する走行中／停車中の領域価値は、予め決められているものとする。例えばマルチメディアＥＣＵ４１から取得されるコンテントは、停車中に比べ走行中には安全面などから重要度が減ることが考えられる。このようなコンテントに対しては、走行中の情報価値が停車中の情報価値よりも小さく設定されている。また、走行中には、視線の動きが極力少なくなるエリアの重要度が増すことが考えられる。したがって、このようなエリアに対しては、走行中の領域価値が停車中の領域価値よりも大きく設定されている。
【００５７】
次に本実施形態の表示制御装置１が発揮する効果を説明する。
本実施形態では、コンテントの情報価値がエリアの領域価値を上回った場合にコンテントをエリアへ割り当てるのであるが、価値変更処理を実行することで、情報価値及び領域価値を車両の状況に応じて変更する。具体的には、車速ＥＣＵ４２から送出される「車速
」に基づき車両が走行中か否かを判断し（図５中のＳ１０１）、車両が走行中である場合（Ｓ１０１：ＹＥＳ）、コンテントの情報価値を走行中における情報価値に変更し（Ｓ１０２）、エリアの領域価値を走行中における領域価値に変更する（Ｓ１０３）。一方、車両が走行中でない場合（Ｓ１０１：ＮＯ）、すなわち停車中である場合には、コンテントの情報価値を停車中における情報価値に変更し（Ｓ１０４）、エリアの領域価値を停車中における領域価値に変更する（Ｓ１０５）。これにより、車両の状況が変化した場合でも、適切なコンテントを適切なエリアへ割り当てることができる。
【００５８】
なお、ここでは情報価値及び領域価値の両方を変更しているが、いずれか一方を変更し、他方を固定的な値としてもよい。また、ここでは走行中か否かという車両の走行状況に基づき情報価値及び領域価値を変更しているが、例えば低速走行、高速走行などもっと細かな走行状況に応じて価値を変更するようにしてもよいし、また例えば運転者の負荷などを算出可能なシステムと共に用い、当該運転者の負荷などを考慮して価値を変更するようにしてもよい。
【００５９】
なお、本実施形態の表示制御装置１が特許請求の範囲の「表示制御装置」を構成し、コンテント管理部１１が「コンテント管理部」を構成し、エリア管理部１２が「エリア管理部」を構成し、コンテント割当制御部１４が「コンテント割当制御部」を構成する。
【００６０】
また、図４中のＳ１００の処理が「コンテント管理部」及び「エリア管理部」の機能としての処理に相当し、詳しくは、図５中のＳ１０２及びＳ１０４の処理が「コンテント管理部」の機能としての処理に相当し、Ｓ１０３及びＳ１０５の処理が「エリア管理部」の機能としての処理に相当する。
【００６１】
［第２実施形態］
上記実施形態では、コンテンツの情報価値がエリアの領域価値を上回っているか否かによって、コンテントとエリアとの組合せを決定していた。これに対し、本実施形態では、コンテント価値及びエリア適性度などから評価値を算出し、当該評価値に基づき、コンテントとエリアとの組合せを決定する。
【００６２】
以下では、上記実施形態と異なる部分のみを説明することとし、同様の構成部分については同一の符号を付して説明を省略する。
本実施形態においては、コンテント管理部１１が、コンテントに対し、図６に示すように、「コンテント価値」、「コンテントサイズ」、「表示状態」及び「コンテント特性」の４つの属性を対応付けて管理する。
【００６３】
ここでコンテント価値とは、表示対象者毎のコンテントの価値を示すものである。本実施形態では、表示対象者は、運転者、助手席同乗者、後席同乗者である。つまり、コンテントの価値は、表示対象者によって異なる。例えば「車速」や「エンジン回転数」といったコンテントは、運転者にとって価値の高い情報となる。そのため、コンテント価値［運転者］、コンテント価値［助手席同乗者］、及び、コンテント価値［後席同乗者］という３つの価値を各コンテントが有している。なお、本実施形態では、コンテント価値が「０」以上の数値として記憶されているものとする。
【００６４】
またコンテントサイズは、コンテントの表示に要する領域の大きさであり、例えば縦及び横のピクセル数で表される。
さらにまた表示状態は、そのコンテントが表示対象であるか否かを示す情報であり、表示対象であることを示す「アクティブ状態」又は表示対象でないことを示す「非アクティブ状態」のいずれかが設定される。
【００６５】
またコンテント特性は、コンテントの特性を示すものである。本実施形態では、視線特性、表現力特性、操作特性の３つの特性を各コンテントが有している。
視線特性は、視線を動かしてもよいか否かを「１」〜「５」の５段階で示す。視線動作を許容しないコンテントほど特性値が大きくなっている。視線動作を許容しないコンテントとは走行にあたって頻繁に確認が必要なコンテントであり、例えば、「車速」が挙げられる。なお、視線特性は、運転者に対する特性となっている。
【００６６】
表現力特性は、コンテントを表示する上で表現力（解像度やカラーなど）が必要であるか否かを「１」〜「５」の５段階で示す。表現力が必要なコンテントほど値が大きくなっている。表現力が必要なコンテントとは情報量の多いコンテントであり、例えばナビゲーションのための「地図」が挙げられる。
【００６７】
操作特性は、コンテントに対する操作が必要であるか否かを「１」〜「５」の５段階で示す。操作が必要なコンテントほど値が大きくなっている。操作が必要なコンテントには、例えば再生曲を選択するなどの操作が発生するという意味で「オーディオ情報」が挙げられる。
【００６８】
なお、本実施形態では、特性を「１」〜「５」の５段階で表したが、これには限定されない。少なくとも２以上に段階分けすればよい。
また、エリア管理部１２は、エリアに対し、図６に示すように、「エリア適性度」、「エリアサイズ」及び「エリア特性」の３つの属性を対応付けて管理する。
【００６９】
ここでエリア適性度とは、表示対象者毎のエリアの場所的な適正度を示すものである。表示対象者は、上述したように、運転者、助手席同乗者、後席同乗者である。つまり、エリア適性度は、表示対象者によって異なる。例えばメータパネルのエリアは運転者にとってエリア適性度が大きくなり、また例えばナビゲーションのための地図などを表示する液晶表示装置のエリアは、運転者及び助手席同乗者にとってエリア適性度が大きくなる。そのため、エリア適性度［運転者］、エリア適性度［助手席同乗者］、及び、エリア適性度［後席同乗者］という３つの適性度を各エリアが有している。なお、本実施形態では、エリア適性度を「１」〜「１０」の１０段階で示すものとする。ただし、これには限定されない。
【００７０】
またエリアサイズは、エリアの大きさであり、コンテントサイズと同様、例えば縦及び横のピクセル数で示される。
さらにまたエリア特性は、エリアの特性を示すものである。本実施形態では、視線特性、表現力特性、操作特性の３つの特性を各エリアが有している。
【００７１】
視線特性は、視線が動くか否かを「１」〜「５」の５段階で示す。視線が動かないエリアほど値が大きくなっている。視線が動かないエリアには、例えばヘッドアップディスプレイのエリアが挙げられる。なお、視線特性は、運転者に対する特性となっている。
【００７２】
表現力特性は、エリアの表現力（解像度やカラーなど）が高いか否かを「１」〜「５」の５段階で示す。表現力の大きなエリアほど値が大きくなっている。表現力の高いエリアには、例えばナビゲーションのための地図などを表示する液晶表示装置のエリアが挙げられる。
【００７３】
操作特性は、エリアの操作が可能であるか否かを「１」〜「５」の５段階で示す。複雑な操作が可能なエリアほど値が大きくなっている。複雑な操作が可能なエリアには、例えばタッチパネルが一体となった液晶表示装置のエリアが挙げられる。
【００７４】
なお、本実施形態では、エリア特性を「１」〜「５」の５段階で表したが、これには限定されない。少なくとも２以上に段階分けすればよい。
また、エリア管理部１２は、上記実施形態と同様、Ａ〜Ｃの表示装置２１〜２３のエリアを階層データ構造で管理する（図３参照）。
【００７５】
さらにまた、割当管理部１３は、コンテント特性及びエリア特性に基づく適性度を算出するための適性度テーブル、コンテントの必須排他制約式、及び、特定エリアに対する特定コンテントの割当情報を記憶している。
【００７６】
適性度テーブルには、コンテント及びエリアの視線特性に基づき視線適性度を算出するための視線適性度テーブル（図７（ａ）参照）、コンテント及びエリアの表現力特性に基づき表現力適性度を算出するための表現力適性度テーブル（図７（ｂ）参照）、コンテント及びエリアの操作特性に基づき操作適性度を算出するための操作適性度テーブル（図７（ｃ）参照）が含まれる。
【００７７】
なお、これらの適性度テーブルは「１」〜「１０」の１０段階で適性度を表現しており、適性度が大きいほど値が大きくなっている。なお、エリア適性度と同様、１０段階での表現に限定されるものではない。
【００７８】
これらの適性度テーブルにより、各コンテントの有するコンテント特性と各エリアの有するエリア特性とから、特性別の適性度が算出される。例えば、情報量の多いナビゲーションのための「地図」は表現力が必要なコンテントとして表現力特性が「５」となっており、表現力の高い液晶表示装置のエリアは表現力特性が「５」となっているものとする。この場合、図７（ｂ）の例では、表現力適性度が最大値「１０」として算出される。これは、コンテント「地図」と液晶表示装置のエリアとを組み合わせる際の表現力適性度が最大になることを示している。
【００７９】
なお、例えば情報量が少なく表現力を必要としない表現力特性「１」のコンテントを表現力の高い表現力特性「５」のエリアへ配置する場合、オーバースペックとなる。このようなオーバースペックの組合せは、各適性度テーブルの左下部分に現れる。このとき適正は十分であるものの、他のコンテントの割当を考えて、適性度を最大値よりも小さく設定している。
【００８０】
また、コンテントの必須排他制約式は、コンテントの必須表示やコンテントの排他表示を、予め定められた制約式で規定する情報である。
本実施形態では「＆」、「｜」、「＾」、「／」、「＋」の５つの演算子が定義されている。図８（ａ）に示す如くである。すなわち、
Ｘ＆Ｙは、ＸとＹとの両方を表示することを意味する。
【００８１】
Ｘ｜Ｙは、Ｘのみを表示する、Ｙのみを表示する、又は、ＸとＹとの両方を表示することを意味する。
Ｘ＾Ｙは、Ｘのみを表示する、又は、Ｙのみを表示することを意味する。
【００８２】
Ｘ／Ｙは、Ｘのみを表示する、Ｙのみを表示する、又は、ＸもＹも表示しないことを意味する。
Ｘ＋Ｙは、ＸとＹとの両方を表示する、又は、ＸもＹも表示しないことを意味する。
【００８３】
なお、Ｘ／ＹはＸ＆Ｙの否定であり、Ｘ＋ＹはＸ＾Ｙの否定となっている。ただし、本実施形態では、後述する表示制御処理にて、演算子に対する処理を行う。この処理を簡単にするため、あえて否定を示す演算子を使用することを避けている。
【００８４】
さらにまた、特定エリアに対する特定コンテントの割当情報は、予め定められた特定のエリアと予め定められた特定のコンテントとの対応関係を示すものである。すなわち、本実施形態では、コンテントとエリアとの動的な割り当てを行うものであるが、この対応関係を参照することで、一部のコンテントについては、静的な割り当てを行う。
【００８５】
本実施形態では、以上のようなコンテント管理部１１、エリア管理部１２及び割当管理部１３に記憶される情報に基づき、コンテント割当制御部１４が、コンテントとエリアとの組合せを評価し、コンテントとエリアとの組合せを記憶する。また、コンテント割当制御部１４によって記憶されるコンテントとエリアとの組合せに基づき、コンテントを表示するのが、表示レイアウト制御部１５である。
【００８６】
次に、表示制御処理について説明する。図９は、表示制御処理の前半部分を示すフローチャートであり、図１０は、表示制御処理の後半部分を示すフローチャートである。なお、以下では適宜、コンテント価値及びエリア適性度をまとめて「価値」といい、コンテントサイズ及びエリアサイズをまとめて「サイズ」という。
【００８７】
最初のＳ２００では、価値変更処理を実行する。この処理は、車両の状況（本実施形態では走行中であるか停車中であるかという走行状況）に基づき、コンテントのコンテント価値及びエリアのエリア適性度を変更するものである。
【００８８】
次のＳ２１０では、コンテントリストを作成する。この処理は、コンテントの属性である表示状態が「アクティブ状態」となっているコンテントを抽出してコンテント価値が大きいものから順に並べ替えるものである。例えば、コンテントＸ，Ｙ，Ｚ，Ｗがあり、コンテント価値がＸ＞Ｙ＞Ｚ＞Ｗのとき、「アクティブ状態」となっているコンテントが「Ｘ，Ｚ，Ｗ」であれば、コンテントリストは、「Ｘ→Ｚ→Ｗ」となる。なお、ここでは、Ｎ個のコンテントが並べ替えられたものとする。
【００８９】
続くＳ２２０では、必須排他制約式を処理する。必須排他制約式には、属性が「非アクティブ状態」となっているコンテントも含まれる。そのため、ここでは、「非アクティブ状態」となっているコンテントを含む必須排他制約式を処理する。
【００９０】
具体的には、図８（ｂ）に示すように、必須排他制約式から構文ツリーを作る。図８（ｂ）では、「（Ｘ＆Ｙ）＾Ｚ」の必須排他制約式が構文ツリーとして示されている。このとき、Ｘ及びＺのコンテントが「アクティブ状態」であり、Ｙのコンテントが「非アクティブ状態」であるものとする。この場合、Ｙのコンテントを構文ツリーから削除すると共に、その上位の演算子「＆」を構文ツリーから削除する（記号Ｊ参照）。これにより、構文ツリーは図８（ｃ）に示す如くとなり、必須排他制約式は、「Ｘ＾Ｚ」となる。このように、「非アクティブ状態」のコンテントとその上位の演算子を削除するという手法は、上位演算子が「＆」、「｜」、「＾」の場合に適用される。
【００９１】
一方、上位演算子が「／」の場合には、図８（ｄ）に示すように、「非アクティブ」のＹのコンテント及びその上位の演算子「／」を削除すると共に（記号Ｌ参照）、削除した演算子「／」の下位のコンテントＸも削除する（記号Ｋ参照）。演算子が「＋」の場合も同様である。
【００９２】
なお、このような必須排他制約式の処理を行う場合、否定を示す演算子を用いると期待する結果が得られないため、本実施形態では、否定を示す演算子を用いていない。
次のＳ２３０では、必須排他制約式に基づくコンテントリストを作成する。例えば、図８（ｃ）で示すように必須排他制約式「Ｘ＾Ｚ」があるものとし、Ｓ１１０で作成された
コンテントリストが「Ｘ→Ｚ→Ｗ」であれば、新たなリストとして、「Ｘ→Ｗ」、「Ｚ→Ｗ」という２つのコンテントリストを作成するという具合である。ここでは、Ｘ及びＺのいずれかが必須表示となっているため、Ｘ及びＺを先頭に並べる。以下では、Ｍ個の新たなリストが作成されたものとして説明を続ける。
【００９３】
続くＳ２４０では、リストを示す変数ｍを「１」として初期化する。この変数ｍがインクリメントされる毎に、１番目のリスト→２番目のリスト→３番目のリスト→・・・という具合に処理されることなる。
【００９４】
次のＳ２５０では、コンテントを示す変数ｎを「１」として初期化する。この変数ｎがインクリメントされる毎に、ｍ番目のリストの１番目のコンテント→ｍ番目のリストの２番目のコンテント→ｍ番目のリストの３番目のコンテント→・・・という具合に処理されることになる。
【００９５】
続くＳ２６０では、エリアを探索する。この処理は、未だコンテントが割り当てられていない全てのエリアを探索するものである。
次のＳ２７０では、階層データ構造に基づきエリアを除外する。この処理は、コンテントが割り当てられていないエリアであっても、階層データ構造で上位に位置するエリアに対しコンテントが割り当てられている場合に、そのエリアを除外するものである。
【００９６】
続くＳ２８０では、コンテントサイズ及びエリアサイズに基づきエリアを除外する。この処理は、割り当てられるコンテントのコンテントサイズよりも小さなエリアサイズのエリアを除外するものである。
【００９７】
次のＳ２９０では、割当管理に基づきエリアを除外する。具体的には、割当管理部１３に記憶された割当情報に基づき、コンテントとエリアとの対応関係にないエリアを除外する。
【００９８】
図１０中のＳ３００では、評価値を算出し、評価値が最も大きなエリアを選択する。この処理は、予め定められた算出式でコンテント及びエリアの情報から評価値を算出し、当該評価値が最も大きくなるエリアを選択するものである。
【００９９】
具体的に、本実施形態では、評価値は、対象者評価値と特性評価値とで算出される。
対象者評価値には、運転者評価値（ＤＥ）、助手席同乗者評価値（ＡＥ）、及び、後席同乗者評価値（ＲＥ）がある。また、特性評価値には、運転者特性評価値（ＤＣＥ）、助手席同乗者特性評価値（ＡＣＥ）、及び、後席同乗者特性評価値（ＲＣＥ）がある。なお、式を煩雑にしないために、運転者を「Ｄ」、助手席同乗者を「Ａ」、後席同乗者を「Ｒ」で表すと、本実施形態では、それぞれ、
ＤＥ＝Ｋ［Ｄ］×コンテント価値［Ｄ］×エリア適性度［Ｄ］
ＡＥ＝Ｋ［Ａ］×コンテント価値［Ａ］×エリア適性度［Ａ］
ＲＥ＝Ｋ［Ｒ］×コンテント価値［Ｒ］×エリア適性度［Ｒ］
ＤＣＥ＝（Ｋ１×視線適性度＋Ｋ２×表現力適性度＋Ｋ３×操作適性度）÷（Ｋ１＋Ｋ２＋Ｋ３）
ＡＣＥ＝（Ｋ４×表現力適性度＋Ｋ５×操作適性度）÷（Ｋ４＋Ｋ５）
ＲＣＥ＝（Ｋ６×表現力適性度＋Ｋ７×操作適性度）÷（Ｋ６＋Ｋ７）
となる。
【０１００】
ここでＫ［Ｄ］，Ｋ［Ａ］，Ｋ［Ｒ］は、運転者、助手席同乗者、及び、後席同乗者の
存在を示すものであり、乗車時に「１」となり、非乗車時に「０」となる。また、Ｋ１〜Ｋ７は、重み付け係数である。
【０１０１】
なお、視線適性度は、運転者についてのみの特性であるため、ＡＣＥ及びＲＣＥの算出には用いられない。
そして、求める評価値は、
評価値  ＝  ＤＥ×ＤＣＥ＋ＡＥ×ＡＣＥ＋ＲＥ×ＲＣＥ
となる。
【０１０２】
Ｓ３１０では、Ｓ３００における評価値が最も大きくなるコンテントとエリアとの組合せを記憶する。
続くＳ３２０では、変数ｎがコンテントの個数Ｎに等しいか否かを判断する。この処理は、ｍ番目のリストに含まれる全てのコンテントを処理したか否かを判断するものである。ここでｎ＝Ｎである場合（Ｓ３２０：ＹＥＳ）、Ｓ３４０へ移行する。一方、ｎ≠Ｎである場合（Ｓ３２０：ＮＯ）、すなわち処理していないコンテントがあるうちは、Ｓ３３０にて変数ｎをインクリメントし、図９中のＳ２６０からの処理を繰り返す。
【０１０３】
Ｓ３４０では、変数ｍがリストの個数Ｍに等しいか否かを判断する。この処理は、全てのリストを処理したか否かを判断するものである。ここでｍ＝Ｍである場合（Ｓ３４０：ＹＥＳ）、Ｓ３６０へ移行する。一方、ｍ≠Ｍである場合（Ｓ３４０：ＮＯ）、すなわち処理していないリストがあるうちは、Ｓ３５０にて変数ｍをインクリメントし、図９中のＳ２５０からの処理を繰り返す。
【０１０４】
Ｓ３６０では、それぞれのリストにおける評価値の合計に基づき、最も評価値の合計が大きくなったリストを選択する。
続くＳ３７０では、Ｓ３６０で選択したリストにおけるコンテントとエリアとの組合せを読み出す。この処理は、Ｓ３１０で記憶される組合せを読み出すものである。
【０１０５】
Ｓ３８０では、コンテントを表示する。この処理は、割り当てられたエリアにコンテントを表示するものである。
次に、図９中のＳ２００の価値変更処理について説明する。図１１は、価値変更処理を示すフローチャートである。
【０１０６】
最初のＳ２０１では、車両が走行中か否かを判断する。この判断は、例えば車速ＥＣＵ４２から送出される「車速」に基づいて行われる。ここで走行中であると判断された場合（Ｓ２０１：ＹＥＳ）、Ｓ２０２にてコンテントのコンテント価値を走行中におけるコンテント価値に変更し、Ｓ２０３にてエリアのエリア適性度を走行中におけるエリア適性度に変更し、その後、価値変更処理を終了する。一方、走行中でないと判断された場合（Ｓ２０１：ＮＯ）、すなわち停車中である場合には、Ｓ２０４にてコンテントのコンテント価値を停車中におけるコンテント価値に変更し、Ｓ２０５にてエリアのエリア適性度を停車中におけるエリア適性度に変更して、その後、価値変更処理を終了する。
【０１０７】
次に本実施形態の表示制御装置１が発揮する効果を説明する。
本実施形態では、コンテント価値及びエリア適性度に基づく対象者評価値を含む評価値に基づいてコンテントをエリアへ割り当てるのであるが、価値変更処理を実行することで、コンテント価値及びエリア価値を車両の状況に応じて変更する。具体的には、車速ＥＣＵ４２から送出される「車速」に基づき車両が走行中か否かを判断し（図１１中のＳ２０１）、車両が走行中である場合（Ｓ２０１：ＹＥＳ）、コンテントのコンテント価値を走
行中におけるコンテント価値に変更し（Ｓ２０２）、エリアのエリア適性度を走行中におけるエリア適性度に変更する（Ｓ２０３）。一方、車両が走行中でない場合（Ｓ２０１：ＮＯ）、すなわち停車中である場合には、コンテントのコンテント価値を停車中におけるコンテント価値に変更し（Ｓ２０４）、エリアのエリア適性度を停車中におけるエリア適性度に変更する（Ｓ２０５）。これにより、車両の状況が変化した場合でも、適切なコンテントを適切なエリアへ割り当てることができる。
【０１０８】
なお、ここではコンテント価値及びエリア適性度の両方を変更しているが、いずれか一方を変更し、他方を固定的な値としてもよい。また、ここでは走行中か否かという車両の走行状況に基づきコンテント価値及びエリア適性度を変更しているが、例えば低速走行、高速走行などもっと細かな走行状況に応じて変更するようにしてもよいし、また例えば運転者の負荷などを算出可能なシステムと共に用い、当該運転者の負荷などを考慮して変更するようにしてもよい。
【０１０９】
さらにまた、コンテント特性及びエリア特性から図７に示した適性度テーブル、すなわち視線適性度テーブル（図７（ａ）参照）、表現力適性度テーブル（図７（ｂ）参照）、及び、操作適性度テーブル（図７（ｃ）参照）を用いて、特性評価値を算出している。これらの適性度テーブルは割当管理部１３に記憶されているのであるが、この適性度テーブルを車両の状況に応じて変更するようにしてもよい。このようにすれば、車両の状況が変化した場合でも、適切なコンテントを適切なエリアへ割り当てることができる。
【０１１０】
なお、本実施形態においても、表示制御装置１が特許請求の範囲の「表示制御装置」を構成し、コンテント管理部１１が「コンテント管理部」を構成し、エリア管理部１２が「エリア管理部」を構成し、コンテント割当制御部１４が「コンテント割当制御部」を構成する。
【０１１１】
また、図９中のＳ２００の処理が「コンテント管理部」及び「エリア管理部」の機能としての処理に相当し、詳しくは、図１１中のＳ２０２及びＳ２０４の処理が「コンテント管理部」の機能としての処理に相当し、Ｓ２０３及びＳ２０５の処理が「エリア管理部」の機能としての処理に相当する。さらにまた、適性度テーブルを変更可能な構成では、割当管理部１３が「対応情報記憶部」を構成し、各適性度テーブルが「対応情報」に相当することになる。
【０１１２】
以上、本発明は、上述した実施形態に何ら限定されるものではなく、その要旨を逸脱しない範囲において種々なる形態で実施することができる。
【符号の説明】
【０１１３】
１…表示制御装置
１０…制御部
１１…コンテント管理部
１２…エリア管理部
１３…割当管理部
１４…コンテント割当制御部
１５…表示レイアウト制御部
２１，２２，２３，５０…表示装置
３０…入出力ＩＦ
４１…マルチメディアＥＣＵ
４２…車速ＥＣＵ
４３…エンジン回転数センサ
４４…各種ＥＣＵ
４５…各種センサ
【図１】
0005948869.tif 000002
【図２】
0005948869.tif 000003
【図３】
0005948869.tif 000004
【図４】
0005948869.tif 000005
【図５】
0005948869.tif 000006
【図６】
0005948869.tif 000007
【図７】
0005948869.tif 000008
【図８】
0005948869.tif 000009
【図９】
0005948869.tif 000010
【図１０】
0005948869.tif 000011
【図１１】
0005948869.tif 000012